【手続補正書】
【提出日】平成16年7月8日(2004.7.8)
【手続補正１】
【補正対象書類名】特許請求の範囲
【補正対象項目名】全文
【補正方法】変更
【補正の内容】
【特許請求の範囲】
【請求項１】
入力源と出力装置の間の無線通信を提供している無線オーディオ雑音低減システムにおいて、
入力装置を介して前記入力源から送信される信号を受信し、第１の入力閾値を超える場合、１対１より大きい圧縮比に伴う圧縮操作を実行する可変コンプレッサと、
前記可変コンプレッサに接続された変調器と、
前記変調器に接続され、第１のアンテナに接続されたマッチングネットワーク
とを備えるエンコーダと、
前記第１のアンテナを有する無線通信に存在する第２のアンテナからの入力によって駆動される信号検出器と、
前記信号検出器に接続されており、第２の入力閾値を超える場合、１対１より大きい膨張比とする拡大操作を実行する可変エキスパンダ
とを備える前記エンコーダと通信するデコーダ
を備えることを特徴とする無線オーディオ雑音低減システム。
【請求項２】
前記変調器と前記信号検出器は、周波数変調（ＦＭ）技術を利用することを特徴とする請求項１に記載の無線オーディオ雑音低減システム。
【請求項３】
前記可変コンプレッサと前記入力源の間に接続されたプレエンファシス回路
を更に備えることを特徴とする請求項１に記載の無線オーディオ雑音低減システム。
【請求項４】
前記可変コンプレッサと前記入力源の間に接続されたハイパスフィルタ（ＨＰＦ）
を更に備えることを特徴とする請求項１に記載の無線オーディオ雑音低減システム。
【請求項５】
前記圧縮比が３対１から８対１であることを特徴とする請求項１に記載の無線オーディオ雑音低減システム。
【請求項６】
入力源と出力装置の間の無線通信を提供している無線オーディオ雑音低減システムにおいて、
入力装置を介して前記入力源から送信される信号を受信し、第１の入力閾値を超える場合、１対１より大きい圧縮比に伴う圧縮操作を実行し、前記入力源からの入力によって駆動される電圧制御増幅器（ＶＣＡ）と、前記ＶＣＡに接続された二乗平均（ＲＭＳ）検出器と、前記ＲＭＳ検出器に接続され、出力によって前記ＶＣＡの利得関数に影響を与える圧縮比及び閾値回路とを備える可変コンプレッサと、
前記可変コンプレッサに接続された変調器と、
前記変調器に接続され、第１のアンテナに接続されたマッチングネットワーク
とを備えるエンコーダと、
前記第１のアンテナを有する無線通信に存在する第２のアンテナからの入力によって駆動される信号検出器と、
前記信号検出器に接続されており、第２の入力閾値を超える場合、１対１より大きい膨張比とする拡大操作を実行する可変エキスパンダ
とを備える前記エンコーダと通信するデコーダ
を備えることを特徴とする無線オーディオ雑音低減システム。
【請求項７】
前記可変コンプレッサは、
前記ＲＭＳ検出器と前記ＶＣＡのバイアス差を減少するバイアスオフセット回路
を更に備えることを特徴とする請求項６に記載の無線オーディオ雑音低減システム。
【請求項８】
前記第１のアンテナは、前記無線オーディオ雑音低減システムと統合されることを特徴とする請求項１に記載の無線オーディオ雑音低減システム。
【請求項９】
前記入力装置は、前記無線オーディオ雑音低減システムと統合されることを特徴とする請求項１に記載の無線オーディオ雑音低減システム。
【請求項１０】
前記入力装置は、マイクロフォンと記録装置とを有するグループから選択されることを特徴とする請求項１に記載の無線オーディオ雑音低減システム。
【請求項１１】
前記入力装置は、少なくとも一つの変換器を備えることを特徴とする請求項１に記載の無線オーディオ雑音低減システム。
【請求項１２】
前記可変エキスパンダと前記出力装置の間に接続されるデエンファシス回路
を更に備えることを特徴とする請求項１に記載の無線オーディオ雑音低減システム。
【請求項１３】
前記可変エキスパンダと前記信号検出器の間に接続されるローパスフィルタ（ＬＰＦ）
を更に備えることを特徴とする請求項１に記載の無線オーディオ雑音低減システム。
【請求項１４】
前記膨張比は、１対３から１対８の間であることを特徴とする請求項１に記載の無線オーディオ雑音低減システム。
【請求項１５】
入力源と出力装置の間の無線通信を提供している無線オーディオ雑音低減システムにおいて、
入力装置を介して前記入力源から送信される信号を受信し、第１の入力閾値を超える場合、１対１より大きい圧縮比に伴う圧縮操作を実行する可変コンプレッサと、
前記可変コンプレッサに接続された変調器と、
前記変調器に接続され、第１のアンテナに接続されたマッチングネットワーク
とを備えるエンコーダと、
前記第１のアンテナを有する無線通信に存在する第２のアンテナからの入力によって駆動される信号検出器と、
前記信号検出器に接続されており、第２の入力閾値を超える場合、１対１より大きい膨張比とする拡大操作を実行し、前記信号検出器からの入力によって駆動される電圧制御増幅器（ＶＣＡ）と、前記ＶＣＡに接続された二乗平均（ＲＭＳ）検出器と、前記ＲＭＳ検出器に接続され、出力によって前記ＶＣＡの利得関数に影響を与える膨張比及び閾値回路とを備える可変エキスパンダ
とを備える前記エンコーダと通信するデコーダ
を備えることを特徴とする無線オーディオ雑音低減システム。
【請求項１６】
前記可変エキスパンダは、
前記ＲＭＳ検出器と前記ＶＣＡのバイアス差を減少するバイアスオフセット回路
を更に備えることを特徴とする請求項１５に記載の無線オーディオ雑音低減システム。
【請求項１７】
前記第２のアンテナは、前記無線オーディオ雑音低減システムと統合されることを特徴とする請求項１に記載の無線オーディオ雑音低減システム。
【請求項１８】
入力源からデコーダまで無線パスに送信し、前記入力源からの入力信号を提供するエンコーダにおいて、
入力装置を介して前記入力源から送信される信号を受信し、第１の入力閾値を超える場合、1に対する1より大きい圧縮比に伴う圧縮操作を実行する可変コンプレッサと、
前記可変コンプレッサに接続された変調器と、
前記変調器に接続され、第１のアンテナに接続されたマッチングネットワーク
とを備えることを特徴とするエンコーダ。
【請求項１９】
前記変調器は、周波数変調（ＦＭ）技術を利用することを特徴とする請求項１８に記載のエンコーダ。
【請求項２０】
前記可変コンプレッサと前記入力源の間に接続されたプレエンファシス回路
を更に備えることを特徴とする請求項１８に記載のエンコーダ。
【請求項２１】
前記可変コンプレッサと前記入力源の間に接続されたハイパスフィルタ（ＨＰＦ）
を更に備えることを特徴とする請求項１８に記載のエンコーダ。
【請求項２２】
前記圧縮比が３対１から８対１であることを特徴とする請求項１８に記載のエンコーダ。
【請求項２３】
入力源からデコーダまで無線パスに送信し、前記入力源からの入力信号を提供するエンコーダにおいて、
入力装置を介して前記入力源から送信される信号を受信し、第１の入力閾値を超える場合、1に対する1より大きい圧縮比に伴う圧縮操作を実行し、前記入力源からの入力によって駆動される電圧制御増幅器（ＶＣＡ）と、前記ＶＣＡに接続された二乗平均（ＲＭＳ）検出器と、前記ＲＭＳ検出器に接続され、出力によって前記ＶＣＡの利得関数に影響を与える圧縮比及び閾値回路とを備える可変コンプレッサと、
前記可変コンプレッサに接続された変調器と、
前記変調器に接続され、第１のアンテナに接続されたマッチングネットワーク
とを備えることを特徴とするエンコーダ。
【請求項２４】
前記可変コンプレッサは、
前記ＲＭＳ検出器と前記ＶＣＡのバイアス差を減少するバイアスオフセット回路
を更に備えることを特徴とする請求項２３に記載のエンコーダ。
【請求項２５】
前記第１のアンテナは、前記エンコーダと統合されることを特徴とする請求項１８に記載のエンコーダ。
【請求項２６】
前記入力装置は、前記エンコーダと統合されることを特徴とする請求項１８に記載のエンコーダ。
【請求項２７】
前記入力装置は、マイクロフォンと記録装置をと有するグループから選択されることを特徴とする請求項１８に記載のエンコーダ。
【請求項２８】
前記入力装置は、少なくとも一つの変換器を備えることを特徴とする請求項１８に記載のエンコーダ。
【請求項２９】
無線パス上のエンコーダから信号を受信し、前記エンコーダからの受信信号を提供するデコーダにおいて、
第２のアンテナからの前記受信信号を入力として駆動される信号検出器と、
前記信号検出器に接続されており、第２の入力閾値を超える場合、１対１より大きい膨張比とする拡大操作を実行し、出力装置に出力する可変エキスパンダ
とを備えることを特徴とするデコーダ。
【請求項３０】
前記信号検出器は、周波数変調（ＦＭ）技術を利用することを特徴とする請求項２９に記載のデコーダ。
【請求項３１】
前記可変エキスパンダと前記出力装置の間に接続されるデエンファシス回路
を更に備えることを特徴とする請求項２９に記載のデコーダ。
【請求項３２】
前記可変エキスパンダと前記信号検出器の間に接続されるローパスフィルタ（ＬＰＦ）
を更に備えることを特徴とする請求項２９に記載のデコーダ。
【請求項３３】
前記膨張比は、１対３から１対８の間であることを特徴とする請求項２９に記載のデコーダ。
【請求項３４】
前記可変エキスパンダは、
前記信号検出器からの入力によって駆動される電圧制御増幅器（ＶＣＡ）と、
前記ＶＣＡに接続された二乗平均（ＲＭＳ）検出器と、
前記ＲＭＳ検出器に接続され、出力によって前記ＶＣＡの利得関数に影響を与える膨張比及び閾値回路
とを備えることを特徴とする請求項２９に記載のデコーダ。
【請求項３５】
前記可変エキスパンダは、
前記ＲＭＳ検出器と前記ＶＣＡのバイアス差を減少するバイアスオフセット回路
を更に備えることを特徴とする請求項３４に記載のデコーダ。
【請求項３６】
前記第２のアンテナは、前記デコーダと統合されることを特徴とする請求項２９に記載のデコーダ。
【請求項３７】
入力源と出力装置の間の送信パスを提供している有線オーディオ雑音低減回路とを備える有線オーディオ雑音低減システムにおいて、
入力装置を介して前記入力源から送信される信号を受信し、第１の入力閾値を超える場合、１対１より大きい圧縮比に伴う圧縮操作を実行する可変コンプレッサと、
前記可変コンプレッサに接続された変調器と、
前記変調器に接続され、前記送信パスに接続されたマッチングネットワーク
とを備えるエンコーダと、
前記送信パスからの入力によって駆動される信号検出器と、
前記信号検出器に接続されており、第２の入力閾値を超える場合、１対１より大きい膨張比とする拡大操作を実行する可変エキスパンダ
とを備える前記エンコーダと通信するデコーダ
を備えることを特徴とする有線オーディオ雑音低減システム。
【請求項３８】
無線パスと関連する雑音除去を支援する、無線パス上の送信の入力信号をエンコードする方法において、
入力閾値を超える場合、圧縮操作が実行される入力信号を可変に圧縮し、処理された信号を生成するステップと、
前記処理された信号を変調し、変調信号を生成するステップと、
第１のアンテナを介して前記変調信号を送信するステップ
とを備えることを特徴とする無線パス上の送信の入力信号をエンコードする方法。
【請求項３９】
無線パスと関連する雑音除去を支援する、無線パス上の送信の入力信号をエンコードする方法において、
電圧制御増幅器（ＶＣＡ）の電圧制御入力を調整するステップと、
前記ＶＣＡの出力から出力された信号の二乗平均（ＲＭＳ）を計測するステップと、
前記ＶＣＡの増幅度機能に影響を及ぼす圧縮比及び閾値を決定するステップと、
前記処理された信号を変調し、変調信号を生成するステップ
とを備えることを特徴とする無線パス上の送信の入力信号をエンコードする方法。
【請求項４０】
無線パスでの雑音除去を支援する、無線パス上で受信された受信変調信号をデコードする方法において、
第２のアンテナより供給された受信信号を検出するステップと、
前記検出するステップによって提供された検出信号を信号レベルに従って可変に拡張するステップ
とを備えることを特徴とする受信変調信号をデコードする方法。
【請求項４１】
無線パスでの雑音除去を支援し、前記無線パス上で受信された受信変調信号をデコードする方法において、
第２のアンテナより供給された受信信号を検出するステップと、
電圧制御増幅器（ＶＣＡ）の電圧制御入力を調整するステップと
前記ＶＣＡの出力から出力された信号の二乗平均（ＲＭＳ）を計測するステップと、
前記ＶＣＡの膨張機能に影響を及ぼす膨張比及び閾値を決定するステップ
とを備えることを特徴とする請求項４０に記載の方法。
【請求項４２】
請求項３８に記載の方法を実行する指示を、コンピュータに実行させることのできるコンピュータ読みとり可能な記憶媒体。
【請求項４３】
請求項３９に記載の方法を実行する指示を、コンピュータに実行させることのできるコンピュータ読みとり可能な記憶媒体。
【請求項４４】
請求項４０に記載の方法を実行する指示を、コンピュータに実行させることのできるコンピュータ読みとり可能な記憶媒体。
【請求項４５】
請求項４１に記載の方法を実行する指示を、コンピュータに実行させることのできるコンピュータ読みとり可能な記憶媒体。